(57)【要約】【課題】温度刺激による不快を抑制しつつ着座者の疲労軽減が可能な温調シート装置を提供する。【解決手段】温調シート装置１は、着座者が着座するシート１０と、シート１０を介して着座者に対して着座者の皮膚温度を上昇させる温熱を供給する温熱供給が可能な温熱供給部２０とを有する。温調シート装置１は、シート１０を介して着座者に対して着座者の皮膚温度を低下させる冷風を供給する冷風供給が可能な冷風供給部３０と、温熱供給部２０および冷風供給部３０を制御する制御装置５０とを備える。制御装置５０は、温熱供給を実行して着座者が温熱による温度刺激を知覚するまでの時間よりも短い時間である第１閾時間で、温熱供給から冷風供給に切り替える制御を実行する。制御装置５０は、冷風供給を実行して着座者が冷風による温度刺激を知覚するまでの時間よりも短い時間である第２閾時間で、冷風供給から温熱供給に切り替える制御を実行する。【選択図】図１
2018193057.tif 000002
【特許請求の範囲】
【請求項１】
着座者が着座するシート（１０）と、
前記シートを介して前記着座者に対して前記着座者の皮膚温度を上昇させる温熱を供給する温熱供給が可能な温熱供給部（２０）と、
前記シートを介して前記着座者に対して前記着座者の皮膚温度を低下させる冷風を供給する冷風供給が可能な冷風供給部（３０）と、
前記温熱供給部および前記冷風供給部を制御する制御装置（５０）と、
を備え、
前記制御装置は、
前記温熱供給を実行して前記着座者が前記温熱による温度刺激を不快に感じるまでの時間である温熱不快時間が経過する前に前記温熱供給から前記冷風供給に切り替える制御と、前記冷風供給を実行して前記着座者が前記冷風による温度刺激を不快に感じるまでの時間である冷熱不快時間が経過する前に前記冷風供給から前記温熱供給に切り替える制御とを実行する温調シート装置。
【請求項２】
前記制御装置は、
前記温熱供給を実行して前記着座者が前記温熱による温度刺激を知覚するまでの時間である温熱知覚時間が経過する前に前記温熱供給から前記冷風供給に切り替える制御を実行する請求項１に記載の温調シート装置。
【請求項３】
前記制御装置は、
前記冷風供給を実行して前記着座者が前記冷風による温度刺激を知覚するまでの時間である冷熱知覚時間が経過する前に前記冷風供給から前記温熱供給に切り替える制御を実行する請求項１または請求項２に記載の温調シート装置。
【請求項４】
前記温熱供給部は、
空気を送風する第１送風装置（２２）と、
前記第１送風装置が送風する空気を加熱する加熱部（２１）と、
を有する請求項１から請求項３のいずれか１項に記載の温調シート装置。
【請求項５】
冷媒が流通する蒸発器（３１）および凝縮器（２１）を有する冷凍サイクル装置（１００）を有し、
前記加熱部は、前記凝縮器であり、
前記冷風供給部は、空気を送風する第２送風装置（３２）と、前記第２送風装置によって送風された空気を冷却する前記蒸発器とを有する請求項４に記載の温調シート装置。
【請求項６】
前記シートは、
前記温熱供給部から送風される加熱された空気が流通する第１空気通路（４０ａ）と、
前記冷風供給部から送風される前記冷風が流通する第２空気通路（４０ｂ）と、
を有し、
前記第１空気通路と前記第２空気通路は、互いに独立した通路として形成されている請求項１から請求項５のいずれか１項に記載の温調シート装置。
【請求項７】
前記シートの内部における前記温熱供給部から送風される加熱された空気の流通を許可および禁止する第１弁部（２３）と、
前記シートの内部における前記冷風供給部から送風される前記冷風の流通を許可および禁止する第２弁部（３３）と、
を有し、
前記制御装置は、前記第１弁部および前記第２弁部を制御することで前記温熱供給と前記冷風供給とを切り替える請求項４から請求項６のいずれか１項に記載の温調シート装置。
【請求項８】
前記制御装置は、前記温熱供給部を駆動する電力の供給と前記冷風供給部を駆動する電力の供給とを切り替えることで前記温熱供給と前記冷風供給とを切り替える請求項１から請求項６のいずれか１項に記載の温調シート装置。
【請求項９】
前記温熱供給部は、発熱することによって前記シートにおいて前記着座者が接触する部位を加熱して前記シートを介して前記温熱を供給する発熱体（５２０）である請求項１から請求項３のいずれか１項に記載の温調シート装置。
【請求項１０】
前記制御装置は、
前記温熱による温度刺激に対して前記着座者が感じる快適度である温熱快適度に影響を及ぼす前記着座者の個人情報を取得する個人情報取得部（５１）と、
前記個人情報に基づいて前記温熱快適度を評価する温熱快適度評価部（５３）と、
前記温熱快適度が高いほど、前記温熱供給の実行時間（ｔ１）を長くする温熱供給時間設定部（５５）と、
を有する請求項１から請求項９のいずれか１項に記載の温調シート装置。
【請求項１１】
前記制御装置は、
前記温熱による温度刺激に対して前記着座者が感じる快適度である温熱快適度に影響を及ぼす前記着座者の個人情報を取得する個人情報取得部（５１）と、
前記個人情報に基づいて前記温熱快適度を評価する温熱快適度評価部（５３）と、
前記温熱快適度が高いほど、前記温熱供給の温度を高くする温熱温度設定部（９５７）と、
を有する請求項１から請求項９のいずれか１項に記載の温調シート装置。
【請求項１２】
前記制御装置は、
前記冷風による温度刺激に対して前記着座者が感じる快適度である冷熱快適度に影響を及ぼす前記着座者の個人情報を取得する個人情報取得部（５１）と、
前記個人情報に基づいて前記冷熱快適度を評価する冷熱快適度評価部（５４）と、
前記冷熱快適度が高いほど、前記冷風供給の実行時間（ｔ２）を長くする冷熱供給時間設定部（５６）と、
を有する請求項１から請求項９のいずれか１項に記載の温調シート装置。
【請求項１３】
前記制御装置は、
前記冷風による温度刺激に対して前記着座者が感じる快適度である冷熱快適度に影響を及ぼす前記着座者の個人情報を取得する個人情報取得部（５１）と、
前記個人情報に基づいて前記冷熱快適度を評価する冷熱快適度評価部（５４）と、
前記冷熱快適度が高いほど、前記冷風供給の温度を低くする冷熱温度設定部（９５８）と、
を有する請求項１から請求項９のいずれか１項に記載の温調シート装置。
【請求項１４】
前記個人情報取得部は、
前記着座者の温熱感覚について前記着座者が評価した情報である主観情報を前記個人情報として取得する請求項１０から請求項１３のいずれか１項に記載の温調シート装置。
【請求項１５】
前記個人情報取得部は、
前記着座者の体格の大きさを検出する体格検出部（６０）から取得した体格情報を前記個人情報として取得する請求項１０から請求項１３のいずれか１項に記載の温調シート装置。
【請求項１６】
前記個人情報取得部は、
車室内の空気温度を調整する空調装置において設定された設定温度の履歴情報を前記個人情報として取得する請求項１０から請求項１３のいずれか１項に記載の温調シート装置。
【発明の詳細な説明】
【技術分野】
【０００１】
この明細書における開示は、着座者に対して熱を提供する温調シート装置に関する。
【背景技術】
【０００２】
特許文献１には、送風手段と加熱手段の両方を備える乗物用空調シートが開示されている。この空調シートは、送風手段による温度調節と、加熱手段による温度調節とが可能である。
【先行技術文献】
【特許文献】
【０００３】
【特許文献１】特開２０１６‐２１６０００号公報
【発明の概要】
【発明が解決しようとする課題】
【０００４】
特許文献１には、着座者の疲労軽減という観点における温度調節については記載されていない。着座者の疲労軽減のためには、着座者に対して温熱を提供して着座者の血行を促進することが考えられるが、この場合着座者が温熱による温度刺激を不快に感じてしまうことがある。すなわち、着座者の疲労軽減を目的とした温度調節を行う場合、着座者が温度刺激によって不快を感じることを抑制する必要がある。
【０００５】
開示される目的は、温度刺激による不快を抑制しつつ着座者の疲労軽減が可能な温調シート装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された温調シート装置のひとつは、着座者が着座するシート（１０）と、シートを介して着座者に対して着座者の皮膚温度を上昇させる温熱を供給する温熱供給が可能な温熱供給部（２０）と、シートを介して着座者に対して着座者の皮膚温度を低下させる冷風を供給する冷風供給が可能な冷風供給部（３０）と、温熱供給部および冷風供給部を制御する制御装置（５０）と、を備え、制御装置は、温熱供給を実行して着座者が温熱による温度刺激を不快に感じるまでの時間である温熱不快時間が経過する前に温熱供給から冷風供給に切り替える制御と、冷風供給を実行して着座者が冷風による温度刺激を不快に感じるまでの時間である冷熱不快時間が経過する前に冷風供給から温熱供給に切り替える制御とを実行する。
【０００８】
この開示によれば、着座者に対して温熱を供給して皮膚温度を上昇し、血行を促進することができる。そして、着座者が温熱による温度刺激を不快に感じるまでの時間である温熱不快時間が経過する前に温熱の供給から冷風の供給へと切り替えるため、着座者が温熱による温度刺激を不快に感じることを冷熱による温度刺激で抑制することができる。また、着座者が冷風による温度刺激を不快に感じるまでの時間である冷熱不快時間が経過する前に冷風の供給から温熱の供給へと切り替えるため、着座者が冷風による温度刺激を不快に感じることを温熱による温度刺激で抑制することができる。以上により、温度刺激による不快を抑制しつつ着座者の疲労軽減が可能な温調シート装置を提供することができる。
【図面の簡単な説明】
【０００９】
【図１】第１実施形態に係る温調シート装置の構成の概要を示す図である。
【図２】第１実施形態におけるシート内部の通路構造の一例を示す図である。
【図３】第１実施形態における冷凍サイクル装置を示す図である。
【図４】第１実施形態における制御装置が実行する制御のフローチャートである。
【図５】第１実施形態において制御装置が実行する制御を示すタイムチャートである。
【図６】第３実施形態に係る温調シート装置の構造を示す図である。
【図７】第４実施形態に係る温調シート装置の構造を示す図である。
【図８】第５実施形態に係る温調シート装置の構造を示す図である。
【図９】第６実施形態に係る温調シート装置の構造を示す図である。
【図１０】第７実施形態における温調シート装置の制御構成を示すブロック図である。
【図１１】温熱感覚の個人差が冷熱および温熱に対する快不快の感じ方に及ぼす影響を示す表である。
【図１２】第７実施形態において制御装置が実行する制御を示すフローチャートである。
【図１３】温熱刺激と冷熱刺激とを交互に与えた場合の着座者の血流増加率を足踏み運動による血流増加率と比較したグラフである。
【図１４】第９実施形態における温調シート装置の制御構成を示すブロック図である。
【発明を実施するための形態】
【００１０】
（第１実施形態）
第１実施形態の温調シート装置１について、図１〜図５を参照して説明する。温調シート装置１は、シート１０に着座した乗員に対して表皮部材１２、１７を介して空気を送風するシートベンチレーションシステムである。温調シート装置１は、図１に示すように、シート１０と、温熱供給部２０と、冷風供給部３０と、制御装置５０とを備える。温調シート装置１は、加熱された空気および冷却された空気を選択的にシート１０から吹き出すことが可能な構成を有する。温調シート装置１は、車両のインストルメントパネル、センターコンソール等に設けられた操作パネルを使用者が操作することでその作動を制御される。
【００１１】
温調シート装置１は、以下に説明する知見に基づいて構成されている。本発明者は、シートの表面にシリコンチューブを埋め込み、このシリコンチューブに温水と冷水と交互に流して、温水による温熱を着座者が暖かいと感じるまでの時間、冷水による冷熱を冷たいと感じるまでの時間を測定した。すると、着座者は４５℃の温水を９０秒より長い時間で暖かいと感じ始め、２０℃の冷水を３０秒より長い時間で冷たいと感じ始めた。そして本発明者は、上述のシートにおいて４５℃の温水を９０秒間、２０℃の冷水を３０秒間交互に切り替えて流す実験を行った。すると、温水と冷水を流さない場合と比較して着座者の主観的な疲労度合が軽減し、温熱による暑さも感じないという知見を得た。
【００１２】
すなわち、着座者が温熱による温度刺激を感じ始める前に温熱の供給から冷熱の供給に切り替え、冷熱による温度刺激を感じ始める前に冷熱の供給から温熱の供給に切り替えることで、着座者の疲労軽減と温熱による不快の抑制を両立できる。
【００１３】
図１に示すように、シート１０は、着座者である乗員の臀部および太腿部等を支持する着座部１１と、乗員の背中を支持する背もたれ部１６とを有する。背もたれ部１６は、シートパッド１８と、シートパッド１８を覆う表皮部材１７とを有する。着座部１１は、背もたれ部１６と同様に、シートパッド１３とシートパッド１３を覆う表皮部材１２とを有する。シートパッド１３、１８は、弾性変形可能な材料、例えば連続気泡型の発泡ポリウレタンによって構成される。シートパッド１３、１８は、表皮部材１２、１７に対して十分大きな厚み寸法を有する。シートパッド１３、１８は、着座した乗員の荷重を弾性変形によって吸収し、乗員を支持するクッション部材である。シートパッド１３、１８は、内部に送風装置２２によって駆動された空気が通過する第１空気通路４０ａと、送風装置３２によって駆動された空気が通過する第２空気通路４０ｂとを有する。第１空気通路４０ａは、着座部１１の内部の通路と背もたれ部１６の内部の通路とに分岐するように形成されている。第２空気通路４０ｂも同様に、着座部１１の内部の通路と背もたれ部１６の内部の通路とに分岐するように形成されている。
【００１４】
表皮部材１２、１７は、シートパッド１３、１８を覆い、着座者と直接接触する部材である。表皮部材１２は、着座部１１のシートパッド１３を覆い、着座部１１における着座面を有する。着座面は、シート１０において着座した乗員の臀部および太腿部が接触し得る面である。表皮部材１７は、背もたれ部１６のシートパッド１８を覆い、背もたれ部１６における背もたれ面を形成する。背もたれ面は、シート１０において着座した乗員の背中が接触し得る面である。表皮部材１２、１７は、通気性を有する。表皮部材１２、１７は、通気可能となるように複数の孔部が形成された部材や、通気性を有する素材によって提供される。表皮部材１２、１７は、例えば革やファブリック等を使用することができる。空気通路４０ａ、４０ｂを通過した送風空気は、通気性の表皮部材１２、１７を通過して着座面および背もたれ面から車室内に対して吹き出す。
【００１５】
温熱供給部２０は、凝縮器２１と、送風装置２２とを含んで構成されている。温熱供給部２０は、人の体温よりも温度の高い温風を生成して第１空気通路４０ａに対して送風する。すなわち、温熱供給部２０は温風供給を行う。温風供給は、温熱供給の一例である。送風装置２２は、吸込口および吹出口を有するケーシングと、ケーシングに収容されたファンとを含んで構成されている。ファンは、例えば遠心式の送風ファンである。ファンは、その回転軸が上下方向を向くようにケーシングに収容されている。送風装置２２は、例えば吸込口を下方に向けてシート１０の骨格部材に取り付けられている。吹出口は、第１空気通路４０ａと連通している。したがって、吹出口から吹き出された空気が第１空気通路４０ａに流入可能になっている。送風装置２２は、その作動を制御装置５０によって制御される。送風装置２２は、特許請求の範囲における第１送風装置に相当する。
【００１６】
凝縮器２１は、内部を冷凍サイクルの高温冷媒が流通する熱交換器である。凝縮器２１は、送風装置２２によって駆動された空気と内部を流通する高温冷媒との間の熱交換を提供する。換言すれば、凝縮器２１は送風装置２２によって駆動された空気を加熱する。凝縮器２１は、特許請求の範囲における加熱部に相当する。凝縮器２１は、送風装置２２の下方に設けられる。凝縮器２１は、吸込口の直前に配置され、送風装置２２によって吸い込まれる空気を加熱可能になっている。
【００１７】
冷風供給部３０は、蒸発器３１と送風装置３２とを含んで構成されている。冷風供給部３０は、人の体温よりも温度の低い冷風を生成して第２空気通路４０ｂに対して送風する。すなわち、冷風供給部３０は冷風供給を行う。送風装置３２は、送風装置２２と同様に、吸込口および吹出口を有するケーシングとケーシングに収容されたファンとを含んで構成されている。送風装置３２の吹出口は、第２空気通路４０ｂと連通している。したがって、吹出口から吹き出された空気が第２空気通路４０ｂに流入可能になっている。送風装置３２は、その作動を制御装置５０によって制御される。送風装置３２は、特許請求の範囲における第２送風装置に相当する。
【００１８】
蒸発器３１は、内部を冷凍サイクルの低温冷媒が流通する熱交換器である。蒸発器３１は、送風装置３２によって駆動された空気と内部を流通する低温冷媒との間の熱交換を提供する。換言すれば、蒸発器３１は送風装置３２によって駆動された空気を冷却する。蒸発器３１は、送風装置３２の下方に設けられる。蒸発器３１は、吸込口の直前に配置され、送風装置３２によって吸い込まれる空気を冷却可能になっている。
【００１９】
凝縮器２１および蒸発器３１は、共通の冷凍サイクル装置１００における冷凍サイクル機能部品である。図３に示すように、冷凍サイクル装置１００は、凝縮器２１と、蒸発器３１と、圧縮機６０と、減圧弁とを有する。これら複数の冷凍サイクル機能部品は配管によって環状に接続されている。冷凍サイクル装置１００は、例えば着座部１１の下方に収容されている。冷凍サイクル装置１００は、制御装置５０によってその作動を制御される。
【００２０】
第１空気通路４０ａは、着座部１１において例えば導入通路４１ａ、配風通路４２ａ、連通孔４３ａを含んで構成される。導入通路４１ａは、上下方向に延びるように形成された通路である。導入通路４１ａは、送風装置２２の吹出口と連通している。導入通路４１ａは送風装置２２の吹出口から吹き出された空気を着座部１１の内部に導入するための通路である。
【００２１】
配風通路４２ａは、導入通路４１ａから分岐するように延びる複数の通路である。配風通路４２ａは、着座面に平行に延びるように形成されている。配風通路４２ａは、導入通路４１ａから導入された空気を各連通孔４３ａに配風するための通路である。連通孔４３ａは、シートパッド１３において配風通路４２ａから表皮部材１２に対して延びるように形成された複数の孔部である。配風通路４２ａを流通する空気は、連通孔４３ａから表皮部材１２を介して着座者に対して吹き出される。
【００２２】
第２空気通路４０ｂは、第１空気通路４０ａと同様に導入通路４１ｂ、配風通路４２ｂ、連通孔４３ｂを含んで構成される。導入通路４１ｂは送風装置３２の吹出口と連通し、送風装置３２からの空気を着座部１１の内部に導入する。背もたれ部１６の空気通路４０ａ、４０ｂは、着座部１１と同様に、導入通路４６ａ、４６ｂ、配風通路４７ａ、４７ｂ、連通孔４８ａ、４８ｂを有する。
【００２３】
第１空気通路４０ａおよび第２空気通路４０ｂは、それぞれ互いに独立した通路である。すなわち、送風装置２２から吹き出された温風と、送風装置３２から吹き出された冷風とは、それぞれ別の空気通路４０ａ、４０ｂを流通してシート１０から吹き出す。
【００２４】
第１空気通路４０ａの配風通路４２ａ、４７ａと、第２空気通路４０ｂの配風通路４２ｂ、４７ｂとは、例えば図２に模式的に示すように、交互に並ぶように形成されている。すなわち、第１空気通路４０ａおよび第２空気通路４０ｂは、シート１０の着座面および背もたれ面において温風が吹き出す領域と冷風が吹き出す領域とが偏りなく分布するように形成されている。換言すれば、第１空気通路４０ａおよび第２空気通路４０ｂは、温風の当たる着座者の身体部位と、冷風の当たる着座者の身体部位との偏りを抑えるように形成されている。なお図２では、第１空気通路４０ａの導入通路４１ａ、４６ａ、配風通路４２ａ、４７ａ、連通孔４３ａ、４８ａを実線で示し、点線で示した第２空気通路４０ｂの導入通路４１ｂ、４６ｂ、配風通路４２ｂ、４７ｂ、連通孔４３ｂ、４８ｂと区別している。
【００２５】
制御装置５０は、コンピュータによって読み取り可能な記憶媒体を備えるマイクロコンピュータを主なハードウェア要素として備える。記憶媒体は、コンピュータによって読み取り可能な所定のプログラムを非一時的に記憶する非遷移的実体的記憶媒体である。記憶媒体は、半導体メモリまたは磁気ディスクなどによって提供されうる。制御装置５０が提供する手段および／または機能は、記憶媒体に記録されたソフトウェアおよびそれを実行するコンピュータ、ソフトウェアのみ、ハードウェアのみ、あるいはそれらの組合せによって提供することができる。例えば、制御装置５０がハードウェアである電子回路によって提供される場合、それは多数の論理回路を含むデジタル回路、またはアナログ回路によって提供することができる。
【００２６】
制御装置５０は、例えば冷凍サイクル装置１００と同様に着座部１１の下方に設けられている。または、車両のインストルメントパネルの前方に設けられていてもよい。または、車両用空調装置のＥＣＵが制御装置５０の機能を提供するように構成されていてもよい。ここでＥＣＵとはElectronic Control Unitの略であり、電子制御装置を意味する。
【００２７】
制御装置５０は、圧縮機６０の作動を制御する。制御装置５０は、例えば圧縮機６０のＯＮ／ＯＦＦを切り替えて冷凍サイクル装置１００を循環する冷媒の流量を調節することで、冷凍サイクル装置１００の冷房能力を調整する。または、制御装置５０は圧縮機６０の回転数を調節することで冷凍サイクル装置１００の冷房能力を調整する。または、圧縮機６０が可変容量型圧縮機の場合、制御装置５０はその吐出容量を調節することで冷凍サイクル装置１００の冷房能力を調整することができる。制御装置５０は、以上のように冷凍サイクル装置１００の冷房能力を調節することで、冷風供給部３０が供給される冷風の温度および温熱供給部２０が供給する温風の温度を調節することができる。制御装置５０は、送風装置２２、３２を選択的に作動させることで、シート１０から温風と冷風のいずれかを選択的に吹き出させることができる。
【００２８】
制御装置５０は、温風吹出と冷風吹出とを周期的に切り替える切替制御を実行する。制御装置５０は、この切替制御によって着座者の疲労軽減が可能な送風処理を温調シート装置１に実行させる。
【００２９】
すなわち、制御装置５０は温風をシート１０から吹き出すことで着座者の皮膚に対して温熱による温度刺激を与える。温熱による温度刺激が与えられると、皮膚内部の血管が拡張されて血行が促進され、血流量が増加する。これにより、血液中の疲労物質の代謝が促進され、着座者の疲労の軽減や疲労の蓄積の抑制が可能となる。なお以下において「温熱による温度刺激」を「温熱刺激」と表記することがある。
【００３０】
ところで、着座者に対して温風を時間的に連続して与え続けると、着座者が温風の温熱による温度刺激を知覚する。ここで「温熱による温度刺激を知覚する」とは、着座者が温熱によって暖かさを感じることを意味する。すなわち、所定の時間以上温風を送風し続けると、着座者は温風の温熱による暖かさを感じ続けることになる。このため、所定の時間以上の温風の送風が、着座者に対して温熱刺激の知覚による煩わしさ等の不快を生じさせてしまう。
【００３１】
そこで制御装置５０は、温風の供給を開始して着座者が温熱による温度刺激を知覚するまでの時間である温熱知覚時間が経過する前に、温風の供給から冷風の供給に切り替え、冷熱による温度刺激、すなわち冷熱刺激を着座者に与える。これにより、温熱刺激を着座者が知覚することを抑制し、温熱刺激による着座者の不快を抑制できる。ここで温熱知覚時間は、着座者が温熱による温度刺激を不快に感じるまでの時間である温熱不快時間よりも短い時間である。
【００３２】
さらに、着座者に冷風を時間的に連続して与え続けると、着座者が冷熱刺激を知覚して冷熱刺激による不快を感じるようになる。ここで「冷熱刺激を知覚する」とは、着座者が冷熱によって冷たさを感じることを意味する。そのため、冷熱刺激を知覚するまでの時間である冷熱知覚時間が経過する前に、冷風の供給から温風の供給に切り替え、再び着座者に対して温熱刺激を与える。ここで冷熱知覚時間は、着座者が冷風による温度刺激を不快に感じるまでの時間である冷熱不快時間よりも短い時間である。
【００３３】
制御装置５０は、この温風の供給と冷風の供給の切替を周期的に繰り返すことで、着座者が温度刺激による不快を感じることを抑制しつつ、着座者の疲労を軽減することが可能な送風処理を実現する。
【００３４】
温風供給から冷風供給に切り替える時間である第１閾時間ｔ１、および冷風供給から温風供給に切り替える時間である第２閾時間ｔ２は、予め制御装置５０に記憶されて設定された時間である。第１閾時間ｔ１は、予め決められた温熱知覚時間よりも短い時間として設定された時間である。第２閾時間ｔ２は、予め決められた冷熱知覚時間よりも短い時間として予め設定された時間である。第１閾時間ｔ１は、温熱供給の実行時間、第２閾時間ｔ２は、冷風供給の実行時間、とそれぞれ言い換えることができる。
【００３５】
温熱知覚時間は、例えば実験によって決められる。すなわち、被験者がシート１０に着座した状態で温風の吹出を行い、吹出の開始から被験者が温風の温熱刺激を「暖かい」と知覚するまでの時間を計測する。この計測を複数人の被験者に対して行い、温熱刺激を「暖かい」と知覚するまでの時間の平均を温熱知覚時間として決める。こうして決められた温熱知覚時間よりも短い時間を第１閾時間ｔ１として設定する。
【００３６】
冷熱知覚時間の場合も同様に、複数人の被験者が冷風の吹出開始から冷熱刺激を「冷たい」と知覚するまでの時間を算出し、この時間の平均を冷熱知覚時間として決める。こうして決められた冷熱知覚時間よりも短い時間を第２閾時間ｔ２として設定することができる。閾時間ｔ１、ｔ２は、例えば所定の範囲の吹出温度との相関関係のマップまたは相関式等として設定してよい。
【００３７】
第１閾時間ｔ１は、温熱知覚時間未満の時間範囲内で、より長い時間に設定することが望ましい。換言すれば、第１閾時間ｔ１は温熱知覚時間により近い時間に設定することが望ましい。これによって、着座者に対してより長時間温熱刺激を与えることができるため、着座者の血行をより促進することができる。
【００３８】
第２閾時間ｔ２は、例えば、温風の供給を開始してから第１閾時間ｔ１経過して冷風の供給に切り替え、第２閾時間ｔ２が経過するまでの１周期における温度の時間平均が、着座者の体温、例えば３７℃と同等になる時間として設定されることが望ましい。これによって、１周期の時間平均が人の体温と同等となるように温風と冷風とを吹き出すことができるため、着座者の温度感覚に与える影響をより抑制することが可能となる。または、第２閾時間ｔ２は、第１閾時間ｔ１と同様に冷熱知覚時間により近い時間に設定してもよい。
【００３９】
閾時間ｔ１、ｔ２は、温調シート装置１の使用者によって任意に変更可能とされていてよい。例えば、上述のあらかじめ設定された時間以内であっても使用者が温熱刺激または冷熱刺激によって不快を感じた場合、操作パネルを操作することで使用者が時間をより短い時間に変更できる構成であってもよい。すなわち、実際の使用者における温度刺激を知覚するまでの時間の個人差に合わせて任意に時間を設定できる構成であってもよい。
【００４０】
温風の温度、冷風の温度は、所定の温度範囲内において任意に設定される。以下に、温風の温度および冷風の温度の設定の一例について説明する。ここでの温度範囲は、温風、冷風ともに表皮部材１２、１７を通過してシート１０から吹き出す際の温度における温度範囲である。温風の場合、温度は着座者の皮膚温度を上げるための熱量を与える温度に設定される。温風の温度は、例えば人間の体温、すなわち３７℃を上回る温度に設定される。冷風の温度は、着座者の皮膚温度を下げるための熱量を与える温度に設定される。冷風の温度は、人間の体温、すなわち３７℃を下回る温度に設定される。
【００４１】
一般的に、人間は皮膚温度が４１℃〜４３℃以上で焼けるような熱さを感じ、２５℃以下で冷たさによる皮膚感覚の麻痺を感じることが知られている。したがって、温風の温度としては、着座者の皮膚温度を４１℃〜４３℃以上には上げない程度の温度を設定することが望ましい。また、冷風の温度としては、着座者の皮膚温度を２５℃以下には下げない程度の温度を設定することが望ましい。制御装置５０は、温風および冷風の温度の設定を、例えば着座者の着衣量に応じて変更する。具体的には、制御装置５０は着座者の着衣量が比較的少ない夏季、比較的多い冬季、夏季と冬季の中間の着衣量となる中間期でそれぞれ異なる温度を設定する。
【００４２】
例えば、夏季は一般的に人の着衣が比較的薄着となる。すなわち、熱抵抗である着衣量が比較的小さくなる。したがって、温風の温度と皮膚温度とが比較的温度差の小さい状態で熱平衡状態となることが想定できる。したがって、夏季の場合は、人が焼けるような熱さを感じる皮膚温度である４１℃〜４３℃と同程度の温度、例えば４２℃を温風の温度として設定する。また、冷風の温度も、２５℃に設定する。
【００４３】
また、冬季の場合は、一般的に人の着衣が比較的厚着となる。すなわち、着衣量が比較的大きくなる。したがって、温風の温度と皮膚温度とが比較的温度差の大きい状態で熱平衡状態となる。したがって、冬季の場合は、夏季の温風の設定温度よりも高い温度を温風の温度とする。例えば、温風の温度として５０℃を設定する。冷風の温度は、温風の温度が夏季と冬季で８℃の差が設定されているので、夏季の冷風の温度である２５℃よりも８℃低い１７℃を設定温度とする。
【００４４】
中間期の場合は、着衣量が夏季と冬季の中間であることが想定できる。したがって、温風の温度および冷風の温度は、それぞれ夏季の場合と冬季の場合との中間の温度を設定する。すなわち、この場合は温風の温度が４６℃であり冷風の温度が２１℃である。
【００４５】
以上のように、制御装置５０は、人の着衣量が比較的小さい時期と大きい時期とでは、大きい時期における温風の上限温度を高く、また冷風の下限温度を低く設定する。これにより、着座者に対して、時期による着衣量の変化に対応して着座者の皮膚温度を上げる温熱刺激および皮膚温度を下げる冷熱刺激を与えることが可能となる。
【００４６】
制御装置５０は、夏季、冬季、中間期を、例えばあらかじめ記憶されたもしくは通信によって取得した暦情報によって判断すればよい。または、車両の外気センサから取得される外気温度情報によって判断してもよい。または、暦や外気温度等の情報から総合的に判断してもよい。
【００４７】
次に制御装置５０が実行する温風と冷風の吹き出しの切替制御の一例について、図４のフローチャートを用いて説明する。制御装置５０は、図４のフローチャートの処理を、例えば使用者が操作パネルにおける温調シート装置１の作動スイッチを投入した場合に実行開始する。
【００４８】
温調シート装置１が、温風のみを供給して着座者に温感を与える温風モードや、冷風のみを供給して着座者に冷感を与える冷風モード、送風のみを実行する送風モード等の、疲労軽減モード以外の機能を提供可能に構成されている場合、疲労軽減モードの実行スイッチを投入することで図４のフローチャートの処理を開始する。または、制御装置５０は、着座者の生体情報をセンサ等によって検出し、検出した情報から着座者に疲労が蓄積されていると判定した場合に図４のフローチャートの処理を開始するように構成されていてもよい。
【００４９】
スイッチが投入されると、ステップＳ１０で温風供給を開始する。具体的には、冷凍サイクル装置１００および送風装置２２を作動させ、所定温度の温風をシート１０から吹き出させる。このとき、冷風供給部３０が作動している場合、すなわち送風装置３２が作動している場合は作動を停止させる。
【００５０】
次にステップＳ１２に進み、ステップＳ１０で温風供給を開始してから第１閾時間ｔ１が経過したか否かを判定する。第１閾時間ｔ１が経過したと判定された場合には、着座者が温風による温熱刺激を知覚していない状態で着座者に対して冷熱刺激を与えるためにステップＳ１４へと進む。
【００５１】
ステップＳ１４では、温風の供給を停止して冷風の供給を開始する。具体的には、送風装置２２の作動を停止して送風装置３２の作動を開始する。なおここで、送風装置３２が作動を開始してからシート１０から冷風が吹き出されるまでの時間差を考慮して、送風装置２２の作動を停止する少し前のタイミングで送風装置３２の作動を開始してもよい。
【００５２】
次にステップＳ１６に進み、ステップＳ１４で冷風供給を開始してから第２閾時間ｔ２経過したか否かを判定する。第２閾時間ｔ２経過したと判定された場合には、着座者が冷風による冷熱刺激を知覚していない状態で着座者に対して温熱刺激を与えるためにステップＳ１０へと戻る。
【００５３】
制御装置５０は、以上の処理を着座者がスイッチの再投入等の停止処理を実行するまで繰り返し実行する。または、制御装置５０はタイマーによって所定の時間が経過すると自動で停止処理を実行するように設定されていてもよい。以上の処理により、制御装置５０は、着座者に温熱刺激があること自体を知覚させる前に温風の吹き出しから冷風の吹き出しに切り替えるとともに、冷熱刺激があること自体を知覚させる前に温風の吹き出しから冷風の吹き出しに切り替える。したがって、着座者の温度感覚を変化させることなく着座者の疲労の軽減が可能である。
【００５４】
図４のフローチャートの処理を実行した場合の、着座者に与えられる温熱刺激と冷熱刺激のサイクルの一例について、図５のタイムチャートを参照して説明する。図４のフローチャートの処理が開始されると、ステップＳ１０の処理によって温風供給が実行される。ステップＳ１２の処理によって温風供給の開始から第１閾時間ｔ１が経過するまで温風供給が継続され、第１閾時間ｔ１の間温熱刺激がＯＮ状態、すなわち着座者に温熱刺激が連続的に与えられる状態となる。温風供給の開始から第１閾時間ｔ１が経過した時点で、ステップＳ１４の処理により温風供給から冷風供給に切り替えられる。そしてステップＳ１６の処理により第２閾時間ｔ２が経過するまで冷風供給が継続され、第２閾時間ｔ２の間冷熱刺激がＯＮ状態、すなわち着座者に冷熱刺激が連続的に与えられる状態となる。図４のフローチャートが繰り返し実行されることで、着座者に対して第１閾時間ｔ１だけ刺激を与え、その後冷熱刺激を第２閾時間ｔ２与えるサイクルが繰り返される。
【００５５】
次に第１実施形態の温調シート装置１がもたらす作用効果について説明する。温調シート装置１は、着座者が着座するシート１０と、シート１０を介して着座者に対して着座者の皮膚温度を上昇させる温熱を供給する温熱供給が可能な温熱供給部２０とを有する。温調シート装置１は、シート１０を介して着座者に対して着座者の皮膚温度を低下させる冷風を供給する冷風供給が可能な冷風供給部３０と、温熱供給部２０および冷風供給部３０を制御する制御装置５０とを備える。制御装置５０は、温熱供給を実行して着座者が温熱による温度刺激を不快に感じるまでの時間である温熱不快時間が経過する前に温熱供給から冷風供給に切り替える制御を実行する。制御装置５０は、冷風供給を実行して着座者が冷風による温度刺激を不快に感じるまでの時間である冷熱不快時間が経過する前に冷風供給から温熱供給に切り替える制御を実行する。
【００５６】
これによれば、着座者に対して温熱を供給して皮膚温度を上昇し、血行を促進することができる。そして、着座者が温熱による温度刺激を不快に感じるまでの時間である温熱不快時間が経過する前に温熱の供給から冷風の供給へと切り替えるため、着座者が温熱による温度刺激を不快に感じることを冷熱による温度刺激で抑制することができる。また、着座者が冷風による温度刺激を不快に感じるまでの時間である冷熱不快時間が経過する前に冷風の供給から温熱の供給へと切り替えるため、着座者が冷風による温度刺激を不快に感じることを温熱による温度刺激で抑制することができる。以上により、温度刺激による不快を抑制しつつ着座者の疲労軽減が可能な温調シート装置１を提供することができる。
【００５７】
また、着座者に冷熱刺激を与えると、着座者の皮膚近傍の血管が収縮し、血流量が減少する。温熱刺激と冷熱刺激が交互に繰り返されると、血管が拡張と収縮の繰り返しによる機械的刺激を受ける。これにより、血管内部での血管拡張物質の作用が強くなり、血管の拡張がより促進される。したがって、温熱刺激と冷熱刺激とを繰り返すこと自体によっても、血流量の増加が促進され、温度刺激による不快を抑制しつつ着座者の疲労軽減を可能とすることができる。すなわち、温熱時間を与える時間が比較的短い場合であっても、温熱刺激と冷熱刺激を繰り返すことで、十分に着座者の疲労軽減が可能となる。
【００５８】
冷媒が流通する蒸発器３１および凝縮器２１を有する冷凍サイクル装置１００を有する。温熱供給部２０は、凝縮器２１と送風装置２２とを有する。冷風供給部３０は、空気を送風する送風装置３２と、送風装置３２によって送風された空気を冷却する蒸発器３１とを有する。これによれば、温熱供給部２０における空気の加熱と、冷風供給部３０における空気の冷却とを、１つの冷凍サイクル装置１００における凝縮器２１と蒸発器３１とによって実現できる。したがって、温調シート装置１の省スペース化が可能となる。
【００５９】
シート１０は、温熱供給部２０から送風される加熱された空気が流通する第１空気通路４０ａと、冷風供給部３０から送風される冷風が流通する第２空気通路４０ｂとを有する。第１空気通路４０ａと第２空気通路４０ｂとは、互いに独立した通路として形成されている。
【００６０】
これによれば、温熱供給部２０からの温風と冷風供給部３０からの冷風とをそれぞれ別の空気通路４０ａ、４０ｂを流通させてからシート１０より吹き出させることができる。したがって、温風と冷風とを共通の空気通路に流通させる場合よりも、通路を形成する通路壁が流通する空気に及ぼす熱的な影響が小さくなる。すなわち、温風供給から冷風供給に切り替えた際に、温風供給時に加熱された通路壁によって冷風の温度が上昇することを抑制できる。また、冷風供給から温風供給に切り替えた際に、冷風供給時に冷却された通路壁によって温風の温度が低下することを抑制できる。さらに、これによってシート１０から吹き出す空気の温度が所望の温度に到達するまでの時間の遅れを抑制することができる。
【００６１】
制御装置５０は、温熱供給部２０を駆動する電力の供給と冷風供給部３０を駆動する電力の供給とを切り替えることで冷風供給部３０の作動と温熱供給部２０の作動とを切り替える。これによれば、温風を供給している際は冷風供給部３０への電力の供給を停止し、冷風を供給している際は温熱供給部２０への電力の供給を停止できるので、消費電力を抑制することができる。
【００６２】
（第２実施形態）
第２実施形態では、第１実施形態における温調シート装置１の変形例について説明する。第１実施形態において、第１閾時間ｔ１は人が温熱刺激を受けてから「暖かい」と知覚するまでの時間よりも短い時間として決定されるとした。これに代えて、第１閾時間ｔ１を人が温熱刺激を受けてからその温熱刺激を不快に感じるまでの時間よりも短い時間として決定してもよい。例えば、冬季では多少の「暖かい」という知覚は着座者にとって好ましい場合がある。したがって、人が温熱刺激を受けてから温熱刺激を不快であると知覚するまでの時間を温熱不快時間として実験等により決定し、その時間よりも短い時間を第１閾時間ｔ１として制御装置５０に予め設定してもよい。ここで、温熱刺激を「不快であると知覚する」とは、例えば温熱刺激を「熱いと感じる」または「煩わしいと感じる」こと等を意味する。
【００６３】
また第１実施形態において、第２閾時間ｔ２は冷熱刺激を「冷たい」と感じるまでの時間よりも短い時間で決定されるとした。これに代えて、第２閾時間ｔ２を人が冷熱刺激を受けてからその冷熱刺激を不快に感じるまでの時間よりも短い時間として決定してもよい。例えば、夏季では多少の「冷たい」という知覚は着座者にとって好ましい場合がある。したがって、人が冷熱刺激を受けてから冷熱刺激を不快であると知覚するまでの時間を冷熱不快時間として実験等により決定し、その時間よりも短い時間を第２閾時間ｔ２として制御装置５０に予め設定してもよい。ここで冷熱刺激を「不快であると知覚する」とは、例えば冷熱刺激を「煩わしいと感じる」こと等を意味する。
【００６４】
制御装置５０は、第１閾時間ｔ１を夏季には温熱知覚時間よりも短い時間、冬季には温熱不快時間よりも短く温熱知覚時間よりも長い時間とするように設定を切り替える構成になっていてもよい。また、制御装置５０は、第２閾時間ｔ２を夏季には冷熱不快時間よりも短く冷熱知覚時間よりも長い時間、冬季には冷熱知覚時間よりも短い時間とするように設定を切り替える構成になっていてもよい。これにより、着座者に対してより好ましい温度感覚を与えることができる。また、着座者が任意に上記の設定を切替可能な構成であってもよい。
【００６５】
（第３実施形態）
第３実施形態では、第１実施形態における温調シート装置１の変形例について説明する。図６において第１実施形態の図面中と同一符号を付した構成要素は、同様の構成要素であり、同様の作用効果を奏するものである。
【００６６】
図６に図示されるように、第３実施形態の温調シート装置１は、第１空気通路４０ａを開閉する第１開閉弁２３と、第２空気通路４０ｂを開閉する第２開閉弁３３とを有する。各開閉弁２３、３３は、各送風装置２２、３２からの送風空気が各空気通路４０ａ、４０ｂを流通してシート１０から吹き出すことを許可する開状態と、各空気通路４０ａ、４０ｂを閉塞して送風空気がシート１０から吹き出すことを禁止する閉状態とを切り替える。開閉弁２３、３３の機構としては、ゲートバルブやバタフライバルブ等の種々の弁機構を適宜採用することができる。開閉弁２３、３３は例えば応答速度が比較的速い電磁弁によって提供される。第１開閉弁２３および第２開閉弁３３は、制御装置５０によってその作動が制御される。第１開閉弁２３は、特許請求の範囲における第１弁部に相当し、第２開閉弁３３は、特許請求の範囲における第２弁部に相当する。
【００６７】
第３実施形態の温調シート装置１は、温風の供給と冷風の供給との切り替えを開閉弁２３、３３の制御によって実行する。すなわち、温風の供給時には、制御装置５０によって第１開閉弁２３が開状態でかつ第２開閉弁３３が閉状態に制御される。そして冷風の供給時には、第１開閉弁２３が閉状態でかつ第２開閉弁３３が開状態に制御される。この場合、送風装置２２、３２は、図４のフローチャートの制御を実行している間常に作動している状態である。
【００６８】
第３実施形態の温調シート装置１は、温風の供給と冷風の供給との切り替えを開閉弁２３、３３によって実行する。このため温風および冷風の供給動作そのものの切替制御、例えば第１実施形態における送風装置２２、３２の作動の開始と停止との切替制御よりも素早い切替が可能となる。
【００６９】
（第４実施形態）
第４実施形態では、第１実施形態における温調シート装置１の変形例について説明する。図７において第１実施形態の図面中と同一符号を付した構成要素は、同様の構成要素であり、同様の作用効果を奏するものである。
【００７０】
第４実施形態の温調シート装置１は、ヒータ装置４２１を有する。ヒータ装置４２１は、例えばＰＴＣヒータやニクロム線ヒータ等によって提供される。ヒータ装置４２１は、例えば送風装置２２の吹出口付近に設けられ、送風装置２２によって駆動された空気を加熱するように構成されている。ヒータ装置４２１は、特許請求の範囲における加熱部に相当する。
【００７１】
（第５実施形態）
第５実施形態では、第１実施形態における温調シート装置１の変形例について説明する。図８において第１実施形態の図面中と同一符号を付した構成要素は、同様の構成要素であり、同様の作用効果を奏するものである。
【００７２】
第５実施形態の温調シート装置１は、温風と冷風の両方が流通する共通の空気通路４４０を有する。これによれば、冷風と温風とを同じ領域から着座者に対して供給できる。すなわち、着座者の同じ身体部位に対して温熱刺激および冷熱刺激を与えることができる。このため、着座者の受けた温熱刺激をより確実に冷熱刺激で打ち消すことが可能になる。したがって、温熱刺激による不快を冷熱刺激によってより効果的に抑制することができる。
【００７３】
（第６実施形態）
第６実施形態では、第１実施形態における温調シート装置１の変形例について説明する。図９において第１実施形態の図面中と同一符号を付した構成要素は、同様の構成要素であり、同様の作用効果を奏するものである。
【００７４】
第６実施形態の温調シート装置１は、シートヒータ５２０を有する。シートヒータ５２０は、例えば通電によって発熱する電熱線である。シートヒータ５２０は、特許請求の範囲における発熱体に相当する。シートヒータ５２０は、シート１０の内部、例えば表皮部材１２、１７とシートパッド１３、１８との間に埋め込まれるようにして設けられる。
【００７５】
温調シート装置１は、シートヒータ５２０の発熱によって発せられる温熱を着座者に供給することで着座者の皮膚温度を上昇させる。シートヒータ５２０は、温風を供給する場合に比べて、温熱と冷風との供給の素早い切替が可能となる。
【００７６】
（第７実施形態）
第７実施形態では、第１実施形態における温調シート装置１の変形例について説明する。図１０において第１実施形態の図面中と同一符号を付した構成要素は、同様の構成要素であり、同様の作用効果を奏するものである。図１０に示すように、制御装置５０は、着座センサ７１、室温センサ７０、個人情報入力部８０、および設定温度入力部９０と通信可能に構成されている。
【００７７】
着座センサ７１は、車室内のシート１０に設けられている。着座センサ７１は、シート１０に加わる圧力の大きさを検出する圧力検出手段である。着座センサ７１は、シート１０に加わる圧力を検出することで、着座した乗員がシート１０に付与する荷重の大きさを検出する。シート１０に加わる圧力の大きさは、着座した着座者の体重に関連する体重関連情報である。体重関連情報は、着座者の体格の大きさを表す体格情報の一例であり、着座センサ７１は体格検出部の一例である。
【００７８】
室温センサ７０は、車室内の空気温度（以下、室温と表記）を検出する室温情報検出部である。室温センサ７０が検出した室温情報は、車両用空調装置における吹出温度や、温調シート装置１における閾時間ｔ１、ｔ２の算出に利用される。
【００７９】
個人情報入力部８０は、乗員が自身の個人情報を入力可能である。個人情報入力部８０は、例えば物理ボタン、タッチセンサ等の入力装置によって提供することができる。個人情報入力部８０は、例えば車室内のインストルメントパネルやセンターコンソール等に設けられ、任意のタイミングで乗員が個人情報を入力したり、入力した情報を訂正したりすることができる。個人情報入力部８０によって入力された個人情報は、記憶部５２に記憶される。記憶された個人情報は、温調シート装置１における閾時間ｔ１、ｔ２の算出に利用される。
【００８０】
個人情報入力部８０によって入力される個人情報は、例えば性別、年齢等の着座者の身体的属性に関する情報や、主観的な温熱感覚の傾向に関する情報等である。「主観的な温熱感覚の傾向」とは、着座者が自覚する着座者自身の暑さや寒さに対する感じ方の特性であり、例えば着座者の自身についての「暑がり」である、「寒がり」である、「冷え症」であるといった評価である。主観的な温熱感覚の傾向に関する情報は、着座者の温熱感覚について着座者自身が評価した情報である主観情報の一例である。
【００８１】
設定温度入力部９０は、室温を調整する車両用空調装置における冷房運転時および暖房運転時の設定温度を着座者が入力する入力部である。設定温度入力部９０は、インストルメントパネルやセンターコンソール等に設けられた物理ボタン、タッチセンサ等の入力装置によって提供することができる。設定温度入力部９０は、冷房運転時における設定温度情報（冷房設定温度情報）と暖房運転時における設定温度情報（暖房設定温度情報）をそれぞれ制御装置５０へと送信する。設定温度情報は、車両用空調装置の吹出温度を算出する際に利用される。設定温度情報は、制御装置５０の記憶部５２に着座者が設定した設定温度の履歴情報として蓄積される。
【００８２】
制御装置５０は、個人情報取得部５１と、記憶部５２と、温熱快適度評価部５３と、冷熱快適度評価部５４と、第１閾時間設定部５７と、第２閾時間設定部５８とを機能ブロックとして有する。
【００８３】
個人情報取得部５１は、温熱快適度および冷熱快適度に影響を及ぼす着座者の個人情報を取得する。個人情報取得部５１は、例えば着座センサ７１、個人情報入力部８０、設定温度入力部９０等から複数の個人情報を取得する。個人情報取得部５１は、取得した個人情報を記憶部５２に記憶させたり、温熱快適度評価部５３や冷熱快適度評価部５４に対して出力したりする。
【００８４】
記憶部５２は、制御装置５０が取得した各種情報を記憶する。記憶部５２は、個人情報取得部５１にて取得した圧力情報、身体属性情報、主観情報、設定温度の履歴情報等の個人情報を、対応する着座者に関連付けて記憶する。記憶部５２は、記憶した個人情報を、温熱快適度評価部５３や冷熱快適度評価部５４に対して出力する。
【００８５】
温熱快適度評価部５３は、個人情報取得部５１にて取得された個人情報に基づいて、温熱刺激の乗員に対する快適度である温熱快適度を評価する。温熱快適度は、所定の基準となる温度で基準となる時間与えられる温熱刺激（基準温熱刺激）に対して着座者が感じる快適さの度合である。温熱快適度が高いほど、着座者は基準温熱刺激を快適であると感じ、温熱快適度が低いほど、着座者は基準温熱刺激を不快であると感じる。
【００８６】
すなわち、温熱快適度が高い着座者ほど、より温熱不快時間が長くなる。したがって、温熱快適度が高い着座者に対しては、比較的長い第１閾時間ｔ１の設定が許容される。また、温熱快適度が高い着座者に対して比較的長い第１閾時間ｔ１を設定することにより、着座者が温熱刺激による快適さより長い時間感じやすくなる。対して、温熱快適度が低い着座者は、温熱不快時間がより短くなる。これにより、温熱快適度が低い着座者に対しては、比較的短い第１閾時間ｔ１の設定が求められる。
【００８７】
温熱快適度評価部５３は、例えば取得された個人情報に対応して第１閾時間ｔ１の初期値ｔ１ａを補正する補正値の大きさとして温熱快適度を評価する。温熱快適度の高さ（補正値の大きさ）と個人情報との関係は、実験等によって予め調べることができる。図１１は、１７名の被験者に対して、暑がり、寒がりと温熱刺激、冷熱刺激との関係を調べた実験結果を示す表である。この実験では、各被験者に対して、自身の温熱感覚の傾向について「暑がり」、「やや暑がり」、「普通」、「やや寒がり」、「寒がり」の５段階レベルで主観的に評価させた。図１１の表は、１５度の冷熱刺激を３分与えた場合、および４１〜４３度の温熱刺激を１５分与えた場合に、自身の温熱感覚についてどのレベルにあると評価をした被験者がそれぞれの温度刺激に対して快適と不快のどちらの感覚を抱くかを分類している。
【００８８】
この実験結果より、「暑がり」の評価をした被験者は、温熱刺激を不快に感じる傾向があるといえる。すなわち、「暑がり」の傾向がある被験者は、他の被験者よりも温熱快適度が小さく、温熱不快時間が比較的短い傾向にあるといえる。
【００８９】
したがって、着座者が「暑がり」であるという主観情報は、第１閾時間ｔ１を初期値ｔ１ａより短く補正する補正値を選択する条件として利用することができる。このときの補正値のより具体的な大きさは、実験等に基づき予め設定されたマップやテーブル、式等によって算出することができる。
【００９０】
同様に、例えば、年齢が高い着座者は低い着座者と比較して温度変化に対する感度が鈍感であるために温熱不快時間が比較的長く、温熱快適度が比較的高くなる傾向があると考えられる。このため、年齢が所定年齢以上であるという身体属性情報は、第１閾時間ｔ１を初期値ｔ１ａより長く補正する補正値を選択する条件として利用できる。また、体格の大きい着座者は、体格の小さい着座者と比較して温熱不快時間が短く、温熱快適度が小さくなる傾向がある。このため着座者の体格が所定レベル以上であるという体格情報は、第１閾時間ｔ１を初期値ｔ１ａより短く補正する補正値を選択する条件として利用できる。
【００９１】
また、冷え症である着座者は、冷え症ではない着座者と比較して温熱不快時間が比較的長く、温熱快適度が比較的高くなる傾向があると考えられる。このため着座者が「冷え症」であるという主観情報は、第１閾時間ｔ１を初期値ｔ１ａより長く補正する補正値を選択する条件として利用できる。また、車両用空調装置の暖房運転時の設定温度が高い着座者は、低い着座者と比較して、温熱刺激を好む傾向が強いと考えられる。このため、暖房設定温度が所定温度以上であるという履歴情報は、第１閾時間ｔ１を初期値ｔ１ａより長く補正する補正値を選択する条件として利用できる。それぞれの補正値の具体的な大きさは、実験等に基づき予め設定されたマップやテーブル、式等によって算出すればよい。
【００９２】
温熱快適度評価部５３は、例えば上述のように取得された１つ１つの個人情報に対応する補正値を決定する。または温熱快適度評価部５３は、取得された複数の個人情報に基づき総合的な補正値を決定してもよい。また、温熱快適度評価部５３は、複数の個人情報の中から特に温熱快適度に対する影響の大きい個人情報を選定して対応する補正値を決定してもよい。温熱快適度評価部５３にて決定された補正値は、第１閾時間設定部５７に出力される。
【００９３】
室温取得部５５は、室温センサ７０により検出された室温情報を取得する。室温取得部５５は、室温情報を室温影響度評価部５６に出力する。室温影響度評価部５６は、取得された室温情報に基づいて、第１閾時間ｔ１の初期値ｔ１ａおよび第２閾時間ｔ２の初期値ｔ２ａに対する補正値を決定する。室温が比較的高いと、比較的低い場合よりも着座者の温熱不快時間が短くなり、また冷熱不快時間が長くなることが考えられる。このため、室温影響度評価部５６は、室温が高いほど、第１閾時間ｔ１がより短くなるような補正値と第２閾時間ｔ２がより長くなるような補正値とを決定する。
【００９４】
第１閾時間設定部５７は、温熱快適度評価部５３による温熱快適度の評価（補正値の決定）と、室温影響度評価部５６における室温の評価に基づいて第１閾時間ｔ１を設定する。第１閾時間設定部５７は、温熱快適度評価部５３にて決定された補正値を用いて、実際に温調シート装置１を利用する着座者に対応した第１閾時間ｔ１を算出して設定する。第１閾時間設定部５７は、例えば予め設定された補正式に補正値を代入することで初期値ｔ１ａを補正して第１閾時間ｔ１を算出する。これにより、複数の個人情報を総合した結果、着座者の温熱快適度が比較的高い場合には、第１閾時間設定部５７は比較的長い第１閾時間ｔ１を設定し、温熱快適度が比較的低い場合には比較的短い第１閾時間ｔ１を設定することになる。第１閾時間ｔ１の算出方法としては、補正式以外にもマップ、テーブル等種々の手段を採用することができる。第１閾時間設定部５７は、温熱供給時間設定部の一例である。
【００９５】
冷熱快適度評価部５４は、個人情報取得部５１にて取得された個人情報に基づいて、冷熱刺激の乗員に対する快適度である冷熱快適度を評価する。冷熱快適度は、所定の基準となる温度で基準となる時間与えられる冷熱刺激（基準冷熱刺激）に対して着座者が感じる快適さの度合である。冷熱快適度が高いほど、着座者は基準冷熱刺激を快適であると感じ、冷熱快適度が低いほど、着座者は基準冷熱刺激を不快であると感じる。
【００９６】
したがって、温熱快適度と同様に、冷熱快適度が高い着座者ほど、より冷熱不快時間が長くなり、冷熱快適度が低い着座者ほど、冷熱不快時間がより短くなる。これにより、冷熱快適度が高い着座者に対しては、比較的長い第２閾時間ｔ２の設定が許容され、冷熱快適度が低い着座者に対しては、比較的短い第２閾時間ｔ２の設定が求められる。
【００９７】
冷熱快適度評価部５４は、温熱快適度評価部５３と同様に、取得された個人情報に対応して第２閾時間ｔ２の初期値ｔ２ａを補正する補正値の大きさとして冷熱快適度を評価する。例えば図１１の実験結果より、「暑がり」、「やや暑がり」の評価をした被験者は、冷熱刺激を快適に感じる傾向があるといえる。すなわち、「暑がり」の傾向があると自信を評価する被験者は、他の被験者よりも冷熱快適度が高く、冷熱不快時間が比較的長い傾向にあるといえる。
【００９８】
したがって、着座者が「暑がり」であるという主観情報は、第２閾時間ｔ２を初期値ｔ２ａより長く補正する補正値を選択する条件として利用することができる。このときの補正値のより具体的な大きさは、実験等に基づき予め設定されたマップやテーブル、式等によって算出することができる。
【００９９】
同様に、例えば、着座者が「寒がり」であるという主観情報は、第２閾時間ｔ２を初期値ｔ２ａより短く補正する補正値を選択する条件として利用できる。また、女性は男性と比較して冷熱不快時間が比較的短く、冷熱快適度が低くなる傾向があると考えられる、このため着座者が女性であるという身体属性情報は、第２閾時間ｔ２を初期値ｔ２ａより短く補正する補正値を選択する条件として利用できる。
【０１００】
また、冷え症である着座者は、冷え症ではない着座者と比較して冷熱不快時間が比較的短く、冷熱快適度が比較的低くなる傾向があると考えられる。このため着座者が「冷え症」であるという主観情報は、第２閾時間ｔ２を初期値ｔ２ａより短く補正する補正値を選択する条件として利用できる。また、車両用空調装置の冷房運転時の設定温度が低い着座者は、高い着座者と比較して、冷熱刺激を好む傾向が強いと考えられる。このため、冷房設定温度が所定温度以下であるという履歴情報は、第２閾時間ｔ２を初期値ｔ２ａより長く補正する補正値を選択する条件として利用できる。
【０１０１】
第２閾時間設定部５８は、第１閾時間設定部５７と同様に、冷熱快適度評価部５４による冷熱快適度の評価（補正値の決定）と室温影響度評価部５６における室温の評価に基づいて第２閾時間ｔ２を設定する。第２閾時間設定部５８は、冷熱快適度評価部５４にて決定された補正値を用いて、実際に温調シート装置１を利用する着座者に対応した第２閾時間ｔ２を算出して設定する。第２閾時間設定部５８は、例えば予め設定された補正式に補正値を代入することで初期値ｔ２ａを補正して第２閾時間ｔ２を算出する。これにより、複数の個人情報を総合した結果、着座者の冷熱快適度が比較的高い場合には、第２閾時間設定部５８は比較的長い第２閾時間ｔ２を設定し、冷熱快適度が比較的低い場合には比較的短い第２閾時間ｔ２を設定することになる。第２閾時間ｔ２の算出方法としては、補正式以外にもマップ、テーブル等種々の手段を採用することができる。第２閾時間設定部５８は、冷熱供給時間設定部の一例である。
【０１０２】
次に、第７実施形態の温調シート装置１において制御装置５０が実行する処理の一例について、図１２のフローチャートを参照して説明する。制御装置５０は、図１２に示す処理を、温風と冷風の吹き出しの切替制御の実行前に行う。または、切替制御の実行中に行って閾時間ｔ１、ｔ２を適宜設定し直してもよい。
【０１０３】
制御装置５０は、ステップＳ７０１でセンサ、記憶部５２から体格情報、身体属性情報、主観情報、履歴情報等の個人情報を取得する。ステップＳ７０１の処理は、個人情報取得部５１の機能に相当する。
【０１０４】
ステップＳ７０３では、身体属性情報から着座者が女性であるか否かを判定する。女性であると判定されると、ステップＳ７０４へと進む。ステップＳ７０４では、第２閾時間ｔ２を初期値ｔ２ａより短くする補正値を決定する。ステップＳ７０４の処理を終えると、ステップＳ７０５へと進む。一方ステップＳ７０３で女性でないと判定されると、ステップＳ７０４をスキップしてステップＳ７０５へと進む。ステップＳ７０３、Ｓ７０４の処理は、冷熱快適度評価部５４の機能に相当する。
【０１０５】
ステップＳ７０５では、身体属性情報から着座者の年齢が所定年齢よりも大きいか否かを判定する。年齢が所定年齢よりも大きいと判定されると、ステップＳ７０６へと進む。ステップＳ７０６では第１閾時間ｔ１を初期値ｔ１ａより長くする補正値および第２閾時間ｔ２を初期値ｔ２ａより長くする補正値をそれぞれ決定してステップＳ７０７へと進む。一方ステップＳ７０５で年齢が所定年齢以下であると判定されると、ステップＳ７０６をスキップしてステップＳ７０７へと進む。ステップＳ７０５、Ｓ７０６の処理は、冷熱快適度評価部５４および温熱快適度評価部５３の機能に相当する。
【０１０６】
ステップＳ７０７では、主観情報から着座者が自身について「暑がり」であると評価しているか否かを判定する。「暑がり」である評価していると判定されると、ステップＳ７０８へと進み、第１閾時間ｔ１を初期値ｔ１ａより短くする補正値および第２閾時間ｔ２を初期値ｔ２ａより長くする補正値をそれぞれ決定してステップＳ７０９へと進む。一方ステップＳ７０７で「暑がり」であると評価していないと判定されると、ステップＳ７０８をスキップしてステップＳ７０９へと進む。ステップＳ７０７、Ｓ７０８の処理は、温熱快適度評価部５３および冷熱快適度評価部５４の機能に相当する。
【０１０７】
ステップＳ７０９では、主観情報から着座者が自身について「寒がり」であると評価しているか否かを判定する。「寒がり」である評価していると判定されると、ステップＳ７１０へと進み、第２閾時間ｔ２を初期値ｔ２ａより短くする補正値を決定してステップＳ７１１へと進む。一方ステップＳ７０９で「寒がり」であると評価していないと判定されると、ステップＳ７１０をスキップしてステップＳ７１１へと進む。ステップＳ７０９、Ｓ７１０の処理は、冷熱快適度評価部５４の機能に相当する。
【０１０８】
ステップＳ７１１では、主観情報から着座者が自身について「冷え症」であると評価しているか否かを判定する。「冷え症」である評価していると判定されると、ステップＳ７１２へと進み、第１閾時間ｔ１を初期値ｔ１ａより長くする補正値および第２閾時間ｔ２を初期値ｔ２ａより短くする補正値をそれぞれ決定してステップＳ７１３へと進む。一方ステップＳ７１１で「冷え症」であると評価していないと判定されると、ステップＳ７１２をスキップしてステップＳ７１３へと進む。ステップＳ７１１、Ｓ７１２の処理は、冷熱快適度評価部５４および温熱快適度評価部５３の機能に相当する。
【０１０９】
ステップＳ７１３では、検出された体格情報から着座者の体格が所定レベルよりも大きいか否かを判定する。体格が所定レベルよりも大きいと判定されると、ステップＳ７１４へと進む。ステップＳ７１４では第１閾時間ｔ１を初期値ｔ１ａより短くする補正値および第２閾時間ｔ２を初期値ｔ２ａより長くする補正値をそれぞれ決定してステップＳ７１５へと進む。一方ステップＳ７１３で体格が大きくないと判定されると、ステップＳ７１４をスキップしてステップＳ７１５へと進む。ステップＳ７１３、Ｓ７１４の処理は、冷熱快適度評価部５４および温熱快適度評価部５３の機能に相当する。
【０１１０】
ステップＳ７１５では、履歴情報から暖房設定温度が閾設定温度以上であるか否かを判定する。暖房設定温度が閾設定温度以上であると判定されると、ステップＳ７１６へと進む。ステップＳ７１６では第１閾時間ｔ１を初期値ｔ１ａより長くする補正値を決定してステップＳ７１７へと進む。一方ステップＳ７１５で暖房設定温度が閾設定温度より小さいと判定されると、ステップＳ７１６をスキップしてステップＳ７１７へと進む。ステップＳ７１５、Ｓ７１６の処理は、温熱快適度評価部５３の機能に相当する。
【０１１１】
ステップＳ７１７では、履歴情報から冷房設定温度が閾設定温度以下であるか否かを判定する。冷房設定温度が閾設定温度以下であると判定されると、ステップＳ７１８へと進む。ステップＳ７１８では第２閾時間ｔ２を初期値ｔ２ａより長くする補正値を決定してステップＳ７１９へと進む。一方ステップＳ７１７で冷房設定温度が閾設定温度より大きいと判定されると、ステップＳ７１８をスキップしてステップＳ７１９へと進む。ステップＳ７１７、Ｓ７１８の処理は、冷熱快適度評価部５４の機能に相当する。
【０１１２】
ステップＳ７１９では、室温取得部５５により取得された室温情報から、第１閾時間ｔ１の初期値ｔ１ａおよび第２閾時間ｔ２の初期値ｔ２ａに対する補正値を設定する。ステップＳ７１９の処理を行うと、ステップＳ７２０へと進む。
【０１１３】
ステップＳ７２０では、ステップＳ７０３〜Ｓ７１９の一連の処理にて決定された、第１閾時間ｔ１の初期値ｔ１ａおよび第２閾時間ｔ２の初期値ｔ２ａのそれぞれを補正する補正値を用いて、実際の第１閾時間ｔ１および第２閾時間ｔ２を算出し、設定する。Ｓ７２０の処理は、第１閾時間設定部５７および第２閾時間設定部５８の機能に相当する。
【０１１４】
なお、制御装置５０は、温調シート装置１に着座者が着座するごとに図１２のフローチャートを実行して第１閾時間ｔ１および第２閾時間ｔ２を設定し直してよい。または一旦第１閾時間ｔ１および第２閾時間ｔ２を設定するとそれらをプリセット情報として記憶部５２等に記憶し、対応する着座者が着座した際に記憶したプリセット情報を利用して第１閾時間ｔ１および第２閾時間ｔ２を設定する構成でもよい。
【０１１５】
次に第７実施形態の温調シート装置１がもたらす作用効果について説明する。第７実施形態の温調シート装置１において、制御装置５０は、温熱快適度に影響を及ぼす着座者の個人情報を取得する個人情報取得部５１と、個人情報に基づいて温熱快適度を評価する温熱快適度評価部５３とを有する。制御装置５０は、温熱快適度が高いほど第１閾時間ｔ１を長くする第１閾時間設定部５７を有する。
【０１１６】
これによれば、温調シート装置１は、個人情報に基づいて着座者の温熱快適度を評価し、温熱快適度が高いほど温熱供給の実行時間を長くする。このため、着座者個人の温熱快適度の違いに応じて、温熱供給の実行時間を調整することができる。例えば、温熱快適度の高い着座者は低い着座者と比較して温熱供給の時間が長くなるため、温熱刺激による快適さを感じ易くなる。また、温熱快適度の低い着座者は高い着座者と比較して温熱供給の時間が短くなるため、温熱刺激による不快を感じにくくなる。
【０１１７】
個人情報取得部５１は、着座者の温熱感覚について着座者が評価した情報である主観情報を個人情報として取得する。これによれば、着座者自身の温熱感覚に対する主観的な評価を、温熱快適度および冷熱快適度の評価に利用できる。したがって、個人個人の温熱刺激および冷熱刺激に対する主観的な感じ方の違いを反映した閾時間ｔ１、ｔ２の調整が可能となる。
【０１１８】
個人情報取得部５１は、体重関連情報である着座センサ７１が検出した圧力情報を個人情報として取得する。これによれば、着座者をセンシングした情報を温熱快適度および／または冷熱快適度の評価に利用できる。したがって、これらの情報について着座者が操作して入力する必要がないため、着座者の煩わしさを軽減できる。
【０１１９】
個人情報取得部５１は、車室内の空気温度を調整する空調装置において着座者が設定した設定温度の履歴情報を個人情報として取得する。これによれば、着座者による空調装置の設定温度の履歴情報を温熱快適度および冷熱快適度の評価に利用できる。履歴情報は、着座者の温熱刺激および冷熱刺激に関する嗜好が反映される。このため、履歴情報を取得することで、温熱刺激および冷熱刺激に関する着座者の嗜好を、自動で温熱快適度および冷熱快適度の評価に利用することができる。
【０１２０】
（第８実施形態）
第７実施形態において、第１閾時間ｔ１と第２閾時間ｔ２は、取得された個人情報に基づいて設定されるとしたが、温熱刺激と冷熱刺激の繰り返しによる人の皮膚血流量の増加量に基づいて、予め設定されてもよい。図１３は、足踏み運動と温冷サイクルとによる皮膚血流量の増加率を比較したグラフである。実験では、５人の被験者に対して、足踏み運動と温冷サイクルとによる皮膚血流量の実験開始前と比較した腰部の皮膚血流量の増加率を血流増加率として測定した。ここで足踏み運動とは、歩行を模擬した足踏みを５分間継続した運動である。また温冷サイクルとは、高速道路を２時間連続運転する着座者に対して与えた、第１閾時間ｔ１を５分、第２閾時間ｔ２を１分３０秒に設定した温熱刺激と冷熱刺激の繰り返しである。グラフ中の白抜きの丸は、５人の被験者のそれぞれの血流増加率の値を示し、棒グラフは５人の血流増加率の平均値を示す。
【０１２１】
図１３によれば、足踏み運動によって血流増加率が約３倍となり、温冷サイクルを与えることによって血流増加率が約２．５倍となることが分かる。温冷サイクルによって、足踏み運動と比較的近い血流増加率を得ることができる。このように、温熱不快時間および冷熱不快時間の範囲内で、血流増加率が足踏み運動の場合の血流増加率に近づくような第１閾時間ｔ１および第２閾時間ｔ２を予め調べて制御装置５０に記憶させてもよい。これにより、足踏み運動と同程度の疲労低減効果を得ることの可能な温熱供給と冷風供給との繰り返し運転を実行することができる。
【０１２２】
（第９実施形態）
第９実施形態では、第７実施形態における温調シート装置１の変形例について説明する。図１４において第７実施形態の図面中と同一符号を付した構成要素は、同様の構成要素であり、同様の作用効果を奏するものである。第９実施形態の温調シート装置１において、制御装置５０は、図１４に示すように温熱温度設定部９５７と冷熱温度設定部９５８とを機能ブロックとして有する。
【０１２３】
第９実施形態において、温熱快適度評価部５３は、取得された個人情報に対応して温熱供給部２０が供給する温熱温度の初期温度を補正する補正値の大きさとして温熱快適度を評価する。冷熱快適度評価部５４は、取得された個人情報に対応して冷風供給部３０が供給する冷風温度の初期温度を補正する補正値の大きさとして冷熱快適度を評価する。
【０１２４】
温熱温度設定部９５７は、温熱供給部２０によって供給される温熱刺激の温度を設定する。温熱温度設定部９５７は、温熱快適度評価部５３による温熱快適度の評価（補正値の決定）に基づいて温熱温度を設定する。温熱温度設定部９５７は、温熱快適度評価部５３にて決定された補正値を用いて、実際に温調シート装置１を利用する着座者に対応した温熱温度を算出して設定する。これにより、複数の個人情報を総合した結果、着座者の温熱快適度が比較的高い場合には、温熱温度設定部９５７は比較的高い温熱温度を設定し、温熱快適度が比較的低い場合には比較的低い温熱温度を設定することになる。
【０１２５】
冷熱温度設定部９５８は、冷風供給部３０によって供給される冷熱刺激の温度を設定する。冷熱温度設定部９５８は、冷熱快適度評価部５４による冷熱快適度の評価（補正値の決定）に基づいて冷熱温度を設定する。冷熱温度設定部９５８は、冷熱快適度評価部５４にて決定された補正値を用いて、実際に温調シート装置１を利用する着座者に対応した冷風温度を算出して設定する。これにより、複数の個人情報を総合した結果、着座者の冷熱快適度が比較的高い場合には、冷熱温度設定部９５８は比較的低い冷風温度を設定し、冷熱快適度が比較的低い場合には比較的高い冷風温度を設定することになる。
【０１２６】
第９実施形態の温調シート装置１がもたらす作用効果について説明する。第９実施形態の温調シート装置１において、制御装置５０は、個人情報取得部５１と、温熱快適度評価部５３と、温熱快適度が高いほど温熱供給の温度を高くする温熱温度設定部９５７とを有する。これによれば、温熱快適度が高いほどより高温の温熱を着座者に対して供給できる。これにより、温熱快適度の高い着座者に、温熱快適度の低い着座者と比較してより高い温度の温熱を供給し、温熱刺激による快適さを向上できる。また、温熱快適度の低い着座者に温熱快適度の高い着座者と比較してより低温の温熱を供給し、温熱刺激による不快を抑制することができる。
【０１２７】
制御装置５０は、個人情報取得部５１と、冷熱快適度評価部５４と、冷熱快適度が高いほど冷風供給の温度を低くする冷熱温度設定部９５８とを有する。これによれば、冷熱快適度が高いほどより低温の冷風を着座者に対して供給できる。これにより、冷熱快適度の高い着座者に、冷熱快適度の低い着座者と比較してより低温の冷風を供給し、冷熱刺激による快適さを向上できる。また、冷熱快適度の低い着座者に冷熱快適度の高い着座者と比較してより高温の冷熱を供給し、冷熱刺激による不快を抑制することができる。
【０１２８】
なお、第９実施形態において、第１閾時間ｔ１および第２閾時間ｔ２は、それぞれ予め設定された値でもよいし、第７実施形態と同様に、制御装置５０における温熱快適度や冷熱快適度の評価に基づいて調整される値であってもよい。
【０１２９】
また、第９実施形態において制御装置５０は、個人情報に基づいて温熱温度の初期温度を補正する補正値の大きさを決定するのではなく、予め設定された個人情報と温熱温度との対応関係を直接参照してもよい。また、冷熱温度に関しても同様に、個人情報に基づいて冷熱温度の初期温度を補正する補正値の大きさを決定する代わりに、予め設定された個人情報と冷熱温度との対応関係を直接参照してもよい。
【０１３０】
（他の実施形態）
この明細書における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、特許請求の範囲の記載によって示され、さらに特許請求の範囲の記載と均等の意味及び範囲内での全ての変更を含むものと解されるべきである。
【０１３１】
上述の実施形態において、冷風は冷凍サイクル装置１００の蒸発器３１によって送風空気を冷却することで生成される。これに代えて、蒸発器３１以外の冷熱発生手段によって送風空気を冷却して冷風を生成してもよい。例えば、ペルチェ素子によって送風空気を冷却してもよい。または、車両用空調装置における凝縮器を利用してもよい。すなわち、車両用空調装置とシート１０の空気通路とをダクト等で接続し、車両用空調装置の蒸発器を通過して冷却された空気を空気通路に導入する構成としてもよい。
【０１３２】
上述の実施形態において、温風は冷凍サイクル装置１００の凝縮器２１によって送風空気を加熱することで生成される。これに加えて、凝縮器２１以外の加熱手段で送風空気をさらに加熱して温風を生成してもよい。例えば、ＰＴＣヒータやニクロム線ヒータ等のヒータ装置を補助的な加熱手段として有する構成であってもよい。
【０１３３】
第７実施形態において、制御装置５０は、着座センサ７１によって検出された圧力情報を着座者の体格情報として取得するとしたが、着座者の体格情報はこれに限らない。例えば、ドライバーモニタによって検出された着座者の撮像データを体格情報として取得してもよい。この場合ドライバーモニタが体格検出部に相当する。または、ＩＲセンサによるサーモグラフィの画像データを体格情報として取得してもよい。この場合ＩＲセンサが体格検出部に相当する。制御装置５０は、着座者の身長、体重、ＢＭＩ、身体形状等の着座者の体格を推定可能な情報であれば多様な情報を体格情報として取得することができる。
【０１３４】
第７実施形態において、制御装置５０は、第１閾時間ｔ１および第２閾時間ｔ２の両方を取得された個人情報に基づいて算出するとしたが、いずれか一方のみを第７実施形態に記載された方法によって算出する構成であってもよい。
【０１３５】
第７実施形態において、温熱快適度評価部５３は、第１閾時間ｔ１の初期値ｔ１ａに対する補正値を決定することで、温熱快適度を評価するとした。これに代えて、制御装置５０は、取得された個人情報と第１閾時間ｔ１の長さとの対応関係がマップやテーブル等によって予め設定され、その対応関係を参照することで第１閾時間ｔ１を算出してもよい。この場合、対応関係の参照が温熱快適度の評価に相当する。また、第２閾時間ｔ２に関しても同様に、制御装置５０は、予め設定された、個人情報と第２閾時間ｔ２の長さとの対応関係を直接参照することで第２閾時間ｔ２を算出してもよい。
【符号の説明】
【０１３６】
１  温調シート装置、  １０  シート、  １００  冷凍サイクル装置、  ２０  温熱供給部、  ２１  凝縮器（加熱部）、  ２２  送風装置（第１送風装置）、  ２３  第１開閉弁（第１弁部）、  ５２０  発熱体、  ３０  冷風供給部、  ３１  蒸発器、  ３２  送風装置（第２送風装置）、  ３３  第２開閉弁（第２弁部）、  ４０ａ  第１空気通路、  ４０ｂ  第２空気通路、  ５０  制御装置、  ５１  個人情報取得部、  ５３  温熱快適度評価部、  ５４  冷熱快適度評価部、  ５５  第１閾時間設定部（温熱供給時間設定部）、  ５６  第２閾時間設定部（冷熱供給時間設定部）、  ９５７  温熱温度設定部、  ９５８  冷熱温度設定部、  ６０  着座センサ（体格検出部）、  ｔ１  第１閾時間（温熱供給の実行時間）、  ｔ２  第２閾時間（冷風供給の実行時間）。
【図１】
2018193057.tif 000003
【図２】
2018193057.tif 000004
【図３】
2018193057.tif 000005
【図４】
2018193057.tif 000006
【図５】
2018193057.tif 000007
【図６】
2018193057.tif 000008
【図７】
2018193057.tif 000009
【図８】
2018193057.tif 000010
【図９】
2018193057.tif 000011
【図１０】
2018193057.tif 000012
【図１１】
2018193057.tif 000013
【図１２】
2018193057.tif 000014
【図１３】
2018193057.tif 000015
【図１４】
2018193057.tif 000016